(57)【要約】【課題】手及び腕の全体に消毒液を簡便に塗布することのできる消毒装置を提供する。【解決手段】手及び腕の消毒装置１００Ａが、手及び腕が挿入される筒状腕挿入部１、消毒液Ａが貯留される消毒液貯留部５、筒状腕挿入部１内に設けられ、消毒液Ａを吐出する複数の吐出口７、及び配管８ａ、８ｂ、８ｃを介して吐出口７と消毒液貯留部５に繋げられたポンプ装置２０を備え、ポンプ装置２０の作動により吐出口７から消毒液Ａが吐出される。【選択図】図１
2008018022.tif 000002
【特許請求の範囲】
【請求項１】
手及び腕が挿入される筒状腕挿入部、
消毒液が貯留される消毒液貯留部、
筒状腕挿入部内に設けられ、消毒液を吐出する複数の吐出口、及び
消毒液貯留部から吐出口に消毒液を送るポンプ装置
を備えた手及び腕の消毒装置。
【請求項２】
吐出口が筒状腕挿入部の周方向に略均等に配置されている請求項１記載の消毒装置。
【請求項３】
筒状腕挿入部の挿入口に手又は腕が存在することを検知する検知器を備え、検知器が手又は腕を検知することによりポンプ装置が作動し、吐出口から消毒液が吐出される請求項１又は２記載の消毒装置。
【請求項４】
検知器が手又は腕を検知して消毒液の吐出が開始した後、所定時間で吐出が停止する請求項３記載の消毒装置。
【請求項５】
検知器が手又は腕を検知している間、消毒液が吐出される請求項３記載の消毒装置。
【発明の詳細な説明】
【技術分野】
【０００１】
本発明は、手及び腕の消毒装置に関する。
【背景技術】
【０００２】
病院における手術では、一般に、医師、看護士、メディカルスタッフ等は、手と腕を入念に洗浄し、さらに消毒液の噴霧により手と腕を消毒する。この消毒に使用される消毒装置は、一般に、消毒液の噴霧部と、その噴霧中に手を擦りあわせる空間をあけて配置された消毒液回収用トレーと、噴霧部と消毒液回収用トレーとの間に手が存在するときにそれを検知する検知手段とを備え、検知手段が手を検知することにより噴霧部から消毒液が噴霧されるようになっている（特許文献１、特許文献２）。
【０００３】
【特許文献１】特開平７−２８９６１２号公報
【特許文献２】特開２００５−１７７３８９号公報
【発明の開示】
【発明が解決しようとする課題】
【０００４】
しかしながら、従来の消毒装置では、消毒液が手又は腕の上方から噴霧されるのみであるため、噴霧部の下に手又は腕をかざしたときに、手や腕の噴霧部と反対側の表面には消毒液が噴霧されない部分が残り、噴霧後に手で消毒液を擦り広げても、手と腕の全体に消毒液をいきわたらせることは難しい。特に、腕には消毒液がムラに付着する。
【０００５】
これに対し、本発明は、手及び腕の全体に消毒液を簡便に塗布することのできる消毒装置を提供することを目的とする。
【課題を解決するための手段】
【０００６】
上述の目的を達成するため、本発明は、手及び腕が挿入される筒状腕挿入部、
消毒液が貯留される消毒液貯留部、
筒状腕挿入部内に設けられ、消毒液を吐出する複数の吐出口、及び
消毒液貯留部から吐出口に消毒液を送るポンプ装置
を備えた手及び腕の消毒装置を提供する。
【発明の効果】
【０００７】
本発明の消毒装置によれば、筒状腕挿入部へ手及び腕を挿入し、ポンプ装置を作動させることにより、筒状腕内部に設けられた複数の吐出口から消毒液が腕に向けて吐出されるので、誰でも簡便な操作で、手及び腕の全体に消毒液をムラなく塗布することができ、特に、吐出口が筒状腕挿入部の周方向に略均等に配置されている態様によれば、腕の全周に消毒液をより均一に塗布することができる。さらに、消毒液が、腕を囲む複数の方向から吐出されるにもかかわらず、消毒液が消毒装置の周囲に不要に飛散することもない。
【０００８】
また、筒状腕挿入部の挿入口に手又は腕が存在することを検知する検知器を備え、検知器で手又は腕が検知されることにより消毒液が所定時間吐出される態様によれば、消毒状態の個人差を低減することができる。
【発明を実施するための最良の形態】
【０００９】
以下、図面を参照しつつ本発明を詳細に説明する。なお、各図中、同一符号は同一又は同等の構成要素を表している。
【００１０】
図１は、本発明の一実施例の消毒装置１００Ａの外観の模式図であり、図２はその概略構成図である。
【００１１】
同図に示すように、この消毒装置１００Ａでは、手及び腕が挿入される筒状腕挿入部１が、本体ハウジング２から起立している支柱３に、ユーザーが腕を筒状腕挿入部１に抜き差しし易い位置に取り付けられ、筒状腕挿入部１の下に液受けトレー４が取り付けられ、本体ハウジング内に、消毒液Ａの貯留部５、ポンプ装置２０、シーケンス制御回路３０などが設けられている。ここで、消毒液Ａとしては、アルコール系消毒剤等の速乾性の消毒液が用いられる。
【００１２】
筒状腕挿入部１は、その上端部内側に、消毒液を霧状に吐出する複数の吐出ノズル６を有している。
【００１３】
各吐出ノズル６は、リング状配管８ａに接続されており、このリング状配管８ａはさらに配管８ｂによってポンプ装置２０に接続されている。このようにリング状配管８ａを介して複数の吐出ノズル６をポンプ装置２０と接続すると、各吐出口７からの吐出量のばらつきを抑制することができる。
【００１４】
ポンプ装置２０は、配管８ｃによって消毒液Ａの貯留部５と接続されている。したがって、ポンプ装置２０が作動すると、複数の吐出口７から消毒液Ａが同時に略同様の流量で霧状に吐出される。
【００１５】
ここで、筒状腕挿入部１は、吐出ノズル６を固定するフレームとしての機能と、手及び腕を吐出口７に対向する位置に誘導するガイドとしての機能と、吐出口７から噴霧状に吐出される消毒液Ａが不要に周囲に飛散しないようにするカバーとしての機能を有する。
【００１６】
筒状腕挿入部１の好ましい内径Ｌ１は、着衣のままで手及び腕を筒状腕挿入部１内に挿入したり、抜き出したりすることができ、また、筒状腕挿入部１に挿入した手や腕の全周に効率よく消毒液Ａが噴霧される大きさとすることが好ましく、例えば、２００〜３００ｍｍとする。内径Ｌ１が小さすぎると、筒状腕挿入部１に挿入した手又は腕のうち、吐出口７に対向している部分には、消毒液Ａは過剰に塗布されるが、吐出口７から離れた部分には塗布されにくくなり、後に手や腕を擦り合わせても消毒液Ａを手及び腕の全体にいきわたらせることが難しくなる。反対に、内径Ｌ１が大きすぎると、吐出口７からの吐出力を過度に高くする必要があり、装置も嵩張る。
【００１７】
筒状腕挿入部１の軸方向の長さＬ２は、消毒装置１００Ａをコンパクトに製造する点からは１５０〜３００ｍｍとし、図１に示すように、腕を挿入した状態で、手が筒状腕挿入部１の外に出るようにすることが好ましいが、手先から二の腕までを覆える長さとしてもよく、その場合に、挿入口と反対側端部を開口端とせずに閉じ、その端部に溜まる消毒液の排出管を設けても良い。
【００１８】
吐出ノズル６は、その吐出口７を筒状腕挿入部１の中心軸側に向けて配置され、筒状腕挿入部１の周方向に略均等に配置されている。
【００１９】
筒状腕挿入部１内に設ける吐出ノズル６の個数は、筒状腕挿入部１の内径Ｌ１、筒状腕挿入部１内における吐出ノズル６の配置等に応じて適宜定めることができるが、例えば、筒状腕挿入部１の周方向に略等間隔で一列に設ける場合、３〜６個とすることが好ましい。
【００２０】
吐出口７を設ける位置は、筒状腕挿入部１の挿入口側の端部とすることが好ましいが、周囲への消毒液のミストの飛散を低減させるため、筒状腕挿入部１の挿入口側縁部から、５０〜１００ｍｍ程度奥側に設けることが好ましい。また、図３に示すように、その吐出方向の中心が筒状腕挿入部中心軸に対してなす角度θを４５〜９０°とすることが好ましい。このように斜め吐出させることにより、筒状腕挿入部１の挿入口から不要に消毒液Ａが飛散することを防止できる。
【００２１】
ポンプ装置２０としては、吐出口７からの噴霧量を、２０〜６０ｍＬ／ｍｉｎ程度に調整できるように、消毒液Ａの流量を調整できるものが好ましい。例えば、電圧で流量を調整する電気式、液戻しにより流量を調整するニードル弁２１の付いたバイパス式などを使用することができる。
【００２２】
この消毒装置１００Ａには、筒状腕挿入部１の挿入口に手又は腕が存在することを検知する検知器９が筒状腕挿入部１の挿入口に取り付けられており、ユーザーが筒状腕挿入部１に手を入れかけたときに、自動的にポンプ装置２０が作動し、吐出口７から消毒液Ａが所定時間吐出されるように、シーケンス制御回路３０が設けられている。ここで、検知器９としては、赤外線センサー等による非接触センサーを使用することができる。
【００２３】
したがって、図４（ａ）に示すように、ユーザーが筒状腕挿入部１に手を入れ始めると、その指先から消毒が始まり、同図（ｂ）に示すように、筒状腕挿入部１に腕を深く入れた分だけ手及び腕に消毒液Ａが塗布され、同図（ｃ）に示すように、手及び腕を筒状腕挿入部１から抜くと、消毒液Ａが手及び腕の全体に均一に塗布された状態となる。この後、手及び腕を擦り合わせることにより、さらに消毒液Ａを塗り広げることができる。
【００２４】
検知器９が手又は腕の存在を検知することによりポンプ装置２０を作動させてから、それを停止させるまでの時間は、３〜６秒程度とすることが好ましい。これにより、任意のユーザーに対して、所定の消毒状態を確保することが可能となる。
【００２５】
なお、消毒液Ａの吐出の停止は、検知器９が手又は腕の存在を検知した後、その存在がなくなったことを検知することによってもよい。これにより、手又は腕を筒状腕挿入部１に挿入している間、消毒液Ａの吐出が続くので、必要に応じて十分な消毒をすることが可能となる。
【００２６】
また、検知器９に代えて、手押し又は足踏み等でスイッチが入る手動スイッチを設け、手動スイッチのＯＮ−ＯＦＦにより、ポンプ装置２０の作動を制御してもよい。これにより消毒装置１００Ａの製造コストを抑えることができる。
【００２７】
液受けトレー４は、消毒液Ａを吐出させている間の筒状腕挿入部１からの液だれを受け、また、吐出開始後ポンプ装置２０を停止させた時に、リング状配管８ａ内の消毒液Ａの液面と、それより下方に位置する吐出口７との落差により吐出口７から漏出する消毒液Ａを受ける。この液受けトレー４に溜まった液は、随時捨てるようにする。吐出開始後ポンプ装置２０を停止させた時に生じる吐出口７からの消毒液の漏出を防止するため、必要に応じて、図２に示したように、リング状配管８ａに逆止弁１０を設けても良い。
【００２８】
消毒液Ａの貯留部５は、ボトル容器１１に充填された市販の消毒液を設置するようにしたものであり、消毒液Ａが消費された場合には、容易に新しいボトル容器１１と交換することができる。ポンプ装置２０側からボトル容器１１側への消毒液Ａの逆流を防止し、ボトル容器１１内の衛生状態を保持するため、このボトル容器１１にさしてある配管８ｃの先端部には、逆止弁１２を設けることが好ましい。
【００２９】
図５の消毒装置１００Ｂは、上述の消毒装置１００Ａにおいて、支柱３を短くし、適当な台１３上に本体ハウジング２を設置して使用するようにしたものである。
【００３０】
図６の消毒装置１００Ｃは、上述の消毒装置１００Ａにおいて、リング状配管８ａを使用することなく、個々の吐出ノズル６をそれぞれ配管８ｂでポンプ装置２０に接続したものである。また、ポンプ装置２０の作動のＯＮ−ＯＦＦを手動スイッチ１４で行うようにし、全体構成を簡略化したものである。
【産業上の利用可能性】
【００３１】
本発明の消毒装置は、病院等において、手及び腕をアルコール等の消毒剤で消毒する場合に用いる装置として有用である。
【図面の簡単な説明】
【００３２】
【図１】実施例の消毒装置１００Ａの外観模式図である。
【図２】実施例の消毒装置１００Ａの概略構成図である。
【図３】筒状腕挿入部の断面図である。
【図４】実施例の消毒装置１００Ａの動作の説明図である。
【図５】実施例の消毒装置１００Ｂの外観模式図である。
【図６】実施例の消毒装置１００Ｃの概略構成図である。
【符号の説明】
【００３３】
１    筒状腕挿入部
２    本体ハウジング
３    支柱
４    液受けトレー
５    貯留部
６    吐出ノズル
７    吐出口
８ａ、８ｂ、８ｃ  配管
９    検知器
１０    逆止弁
１１    ボトル容器
１２    逆止弁
１３    台
１４    手動スイッチ
２０    ポンプ装置
２１    ニードル弁
３０    シーケンス制御回路
１００Ａ、１００ｂ、１００Ｃ  消毒装置
Ａ    消毒液
Ｌ１  筒状腕挿入部の内径
Ｌ２  筒状腕挿入部の軸方向の長さ
【図１】
2008018022.tif 000003
【図２】
2008018022.tif 000004
【図３】
2008018022.tif 000005
【図４】
2008018022.tif 000006
【図５】
2008018022.tif 000007
【図６】
2008018022.tif 000008